(57)【要約】【課題】  公共交通機関の利用者との待ち合わせを考慮した経路設定を行う。【解決手段】  ナビゲーション装置は、目的地および公共交通機関の特定の便を設定し（丸囲み数字１）、設定された公共交通機関の特定の便に関する情報を取得し（丸囲み数字２）、現在地および公共交通機関の特定の便に関する情報に基づき、現在地から目的地までの間に公共交通機関の特定の便の利用者と待ち合せる立ち寄り施設を経由地として決定する（丸囲み数字３）。【選択図】        図３
2005083864.tif 000002
【特許請求の範囲】
【請求項１】
現在地から経由地を経由して目的地までの案内経路を設定し、設定した前記案内経路に従って経路案内を行うナビゲーション装置であって、
公共交通機関の特定の便を設定する設定手段と、
前記設定手段によって設定された前記公共交通機関の特定の便に関する情報を取得する取得手段と、
前記現在地および前記取得手段によって取得した前記公共交通機関の特定の便に関する情報に基づき、前記現在地から前記目的地までの間に前記公共交通機関の特定の便の利用者と待ち合せる立ち寄り施設を前記経由地として決定する決定手段と、を備えたことを特徴とするナビゲーション装置。
【請求項２】
前記公共交通機関の特定の便に関する情報には、少なくとも前記公共交通機関の特定の便が停車する複数の停車施設の位置情報および複数の停車施設への到着時刻が含まれていることを特徴とする請求項１に記載のナビゲーション装置。
【請求項３】
前記決定手段は、前記現在地、前記公共交通機関の特定の便が停車する複数の停車施設の位置情報および前記公共交通機関の特定の便が停車する複数の停車施設への到着時刻に基づき、前記複数の停車施設における待ち時間を求め、これらの待ち時間に基づき前記立ち寄り施設を決定することを特徴とする請求項２に記載のナビゲーション装置。
【請求項４】
前記決定手段は、待ち時間の最も短い前記停車施設を前記立ち寄り施設を決定し、待ち時間の最も短い前記停車施設が複数ある場合には、前記到着予想時刻の早い前記停車施設を前記立ち寄り施設として決定することを特徴とする請求項２または３に記載のナビゲーション装置。
【請求項５】
前記公共交通機関の所定の便の利用者が所有する通信端末と通信する通信手段を介して前記決定手段によって決定した前記立ち寄り施設を前記公共交通機関の所定の便の利用者に連絡する連絡手段と、を備えたこと特徴とする請求項１ないし４のいずれか１つに記載のナビゲーション装置。
【請求項６】
前記決定手段は、定期的に前記立ち寄り施設を決定し、前記連絡手段は、前記決定手段によって前記立ち寄り施設が変更となった場合、前記通信手段を介して変更となった前記立ち寄り施設を連絡することを特徴とする請求項５に記載のナビゲーション装置。
【発明の詳細な説明】
【技術分野】
【０００１】
本発明は、現在地から経由地を経由して目的地までの案内経路を設定し、設定した案内経路に従って案内するナビゲーション装置に関する。
【背景技術】
【０００２】
従来、現在地から経由地を経由して目的地までの案内経路を設定し、設定した案内経路に従って経路案内を行うナビゲーション装置が広く知られている。
【０００３】
また、公共交通機関を利用した経路探索を行うものとして、目的地および経由地を設定するとともに、個々の経由地までの区間及び最終の経由地から目的地までの区間毎に、利用する公共交通機関の種類を設定し、目的地に至る経路を、設定された種類の公共交通機関の路線と道路との両方の中から探索する経路探索装置がある（例えば、特許文献１参照）。
【特許文献１】特開２０００−１６１９７８号公報
【発明の開示】
【発明が解決しようとする課題】
【０００４】
上記した特許文献１に記載の発明は、ユーザーが目的地および経由地を設定するようになっており、例えば、電車を利用した友人と途中の駅で待ち合わせるような場合に、友人の利用する電車の便を指定すると、待ち合わせを考慮して立ち寄り駅を決定するものではない。
【０００５】
本発明は上記問題に鑑みたもので、公共交通機関の利用者との待ち合わせを考慮して立ち寄り駅を決定するナビゲーション装置を提供することを目的とする。
【課題を解決するための手段】
【０００６】
上記目的を達成するため、請求項１に記載の発明では、現在地から経由地を経由して目的地までの案内経路を設定し、設定した前記案内経路に従って経路案内を行うナビゲーション装置であって、公共交通機関の特定の便を設定する設定手段と、前記設定手段によって設定された前記公共交通機関の特定の便に関する情報を取得する取得手段と、前記現在地および前記取得手段によって取得した前記公共交通機関の特定の便に関する情報に基づき、前記現在地から前記目的地までの間に前記公共交通機関の特定の便の利用者と待ち合せる立ち寄り施設を前記経由地として決定する決定手段と、を備えたことを特徴としている。
【０００７】
このように、決定手段は、前記現在地および前記取得手段によって取得した前記公共交通機関の特定の便に関する情報に基づき、前記現在地から前記目的地までの間に前記公共交通機関の特定の便の利用者と待ち合せる立ち寄り施設を前記経由地として決定するので、公共交通機関の利用者との待ち合わせを考慮した経路設定を行うことができる。
【０００８】
また、請求項３に記載の発明のように、決定手段は、現在地、公共交通機関の特定の便が停車する複数の停車施設の位置情報および公共交通機関の特定の便が停車する複数の停車施設への到着時刻に基づき、複数の停車施設における待ち時間を求め、これらの待ち時間に基づき立ち寄り施設を決定することができる。
【０００９】
また、請求項４に記載の発明のように、決定手段は、待ち時間の最も短い停車施設を立ち寄り施設を決定し、待ち時間の最も短い停車施設が複数ある場合には、到着予想時刻の早い停車施設を立ち寄り施設として決定することができる。
【００１０】
また、請求項５に記載の発明では、前記公共交通機関の所定の便の利用者が所有する通信端末と通信する通信手段を介して前記決定手段によって決定した前記立ち寄り施設を前記公共交通機関の所定の便の利用者に連絡する連絡手段と、を備えたこと特徴としている。したがって、決定手段によって決定した前記立ち寄り施設を公共交通機関の所定の便の利用者に自動的に連絡することができる。
【００１１】
また、請求項６に記載の発明では、前記決定手段は、定期的に前記立ち寄り施設を決定し、前記連絡手段は、前記決定手段によって前記立ち寄り施設が変更となった場合、前記通信手段を介して変更となった前記立ち寄り施設を連絡することを特徴としている。
【００１２】
これにより、道路工事や渋滞などにより、立ち寄り施設が変更となった場合でも、公共交通機関の所定の便の利用者に変更となった立ち寄り施設を連絡することができる。
【発明を実施するための最良の形態】
【００１３】
図１に、本発明に係るナビゲーション装置の構成を示す。ナビゲーション装置１は、車両に搭載され、情報センタ２および携帯電話３と無線による通信を行うようになっている。なお、本実施形態では、電車に乗った友人と途中の駅で待ち合わせ、その駅でユーザーの運転する車両に友人が同乗して目的地まで行くことを想定している。図に示した携帯電話３は、この友人の所有するものである。
【００１４】
位置検出器１１は、周知の地磁気センサ１２、ジャイロスコープ１３、距離センサ１４および衛星からの電波に基づいて車両の位置を検出するためのＧＰＳ受信機１５を有している。これらのセンサ１２〜１５は各々が性質の異なる誤差を持っているため、複数のセンサを各々補間しながら使用するように構成されている。
【００１５】
地図データ入力器１６は、位置検出精度を向上するためのいわゆるマップマッチングデータ、地図データ、住所、電話番号を含む各種データを入力するための装置である。これらの各種データを記憶する記憶媒体としては、そのデータ量からＣＤ−ＲＯＭ、ＤＶＤまたはハードディスクドライブなどを用いるのが一般的であるが、メモリカードなど他の媒体を用いてもよい。
【００１６】
操作スイッチ群１７は、表示装置２０の表示画面の周囲に設けられた複数の押しボタンスイッチ（メカニカルスイッチ）、当該表示画面に重ねて設けられたタッチパネル等の入力装置からなり、ユーザーによる押しボタンスイッチの押下、タッチパネルのタッチに基づいた信号を制御回路１８に出力する。
【００１７】
外部メモリ１９は、制御回路１８の内部とは別に設けられる記憶部で、ＲＯＭあるいはＲＡＭなどから構成され、各種のデータやプログラムなどが記憶されるようになっている。
【００１８】
表示装置２０は、液晶ディスプレイ等の表示画面を有し、制御回路１８からの映像信号に応じて液晶ディプレイ等の表示画面に当該映像を表示させる。
【００１９】
リモコンセンサ２２は、ユーザーの操作に基づいて赤外線等による無線信号を送信するリモコン２３から受信した信号を制御回路１８へ出力する。
【００２０】
通信回路２５は、無線により携帯電話３や情報センタ２との通信を行うためのもので、携帯電話３や情報センタ２と各種データの交換を行うようになっている。通信回路２５は、具体的には携帯電話によって構成され、この携帯電話と制御回路１８の間は、接続ケーブルによって接続されている。なお、通信回路２５と携帯電話３間および通信回路２５と情報センタ２間は、図示しない基地局を介して接続される。
【００２１】
音声出力装置２６は、スピーカを有し、制御回路１８からの音声信号に応じてスピーカに当該音声を出力させる。
【００２２】
制御回路１８は、通常のコンピュータとして構成されており、内部にはＣＰＵ、ＲＯＭ、ＲＡＭ、フラッシュメモリ、Ｉ／Ｏおよびこれらの構成を接続するバスラインが備えられている。制御回路１８は、ＲＯＭ、外部メモリ制御装置１９から読み出したナビゲーション装置１の動作のためのプログラムを実行し、その実行の際には、ＲＯＭ、ＲＡＭ、フラッシュメモリに対して情報の書き込みを行い、Ｉ／Ｏを介して位置検出器１１、地図データ入力器１６、操作スイッチ群１７、外部メモリ１９、表示装置２０、リモコンセンサ２２、音声出力装置２６と信号の授受を行う。
【００２３】
より具体的には、制御回路１８は、ナビゲーション装置１が起動するとき、ＲＯＭからブートプログラム、オペレーティングシステム（以下、ＯＳと記す）等を読み出して実行し、このＯＳ上で動作するプロセスとしては、メニュープログラム、経路探索プログラム、地図表示プログラムおよびその他のプログラムがある。
【００２４】
メニュープログラムは、ＯＳ上で動作する各種プログラムを、そのプログラムの機能や目的別に階層的にメニュー表示し、そのメニュー表示されたものの中からユーザーが選択したプログラムの実行を開始させる。なお、メニュー表示は表示装置２０の表示画面に当該メニューの画像データを出力することで行い、また、ユーザーの選択は、リモコンセンサ２１を介したリモコン２２または操作スイッチ群１７に対する選択操作（カーソル移動、確定ボタン押下等）によって制御回路１８に入力された信号に基づいて検出する。
【００２５】
経路探索プログラムは、操作スイッチ群１７またはリモコン２３により目的地が設定されると、現在地からその目的地までの最適な経路を自動的に選択して案内経路を形成し、表示装置２０に表示させる。自動的に最適な経路を設定する手段としては、ダイクストラ法等が知られている。
【００２６】
地図表示プログラムは、位置検出器１１のセンサ１２〜１５から入力される各種信号に基づき現在地情報を算出し、算出した現在地情報に基づく車両現在地マークと、地図データ入力器１６より読み出した地図データと、経路探索プログラムによって形成した案内経路等の付加データを重ねてその表示画面に表示させる。
【００２７】
情報センタ２は、各種交通機関の交通機関に関する交通機関情報が記憶された記憶装置（図示せず）を備えている。この交通機関情報には、各種交通機関の種類、路線に関する情報、発着時刻に関する情報、停車駅や停留所などの位置情報などが含まれている。
【００２８】
携帯電話３は、音声通話の他にメール、インターネットなどの機能を有している。
【００２９】
次に、図２および図３を参照して、上記したナビゲーション装置１の作動について説明する。図２は、ナビゲーション装置１における最適な立ち寄り駅を経路中に設定する場合の説明図で、図３は、ナビゲーション装置１における最適な立ち寄り駅を経路中に設定する場合のシーケンス図である。
【００３０】
ナビゲーション装置１の電源がオンされると、制御回路１８は、ナビゲーション装置１の動作のためのプログラムに従って作動し、経路探索プログラムが起動されることにより、図２、図３に示す最適な立ち寄り駅を経路中に設定する処理を開始する。
【００３１】
なお、ユーザーは、制御回路１８が、図２、図３に示す最適な立ち寄り駅を経路中に設定する処理を開始する前に、友人の利用する電車がどの駅を何時に出発するのかを予め知らされている。ここでは、友人が図２の「電車Ｔ」を利用し、この「電車Ｔ」は、所定の始発駅（図示せず）をＡＭ９：００に出発すると知らされているものとして説明する。
【００３２】
まず、ユーザーの操作スイッチ群１７の操作またはリモコン２３の操作によって、経路探索プログラムが起動されると、表示装置２０には、目的地の設定とともに最適な立ち寄り駅を経路中に設定する処理を行うか否かを設定する画面が表示される。この画面は階層化されており、最適な立ち寄り駅を経路中に設定する処理を行う設定がされると、公共交通機関の種類、路線、停車駅あるいは停留所における発着時刻など、待ち合わせる人が利用する公共交通機関の便を特定するための条件を設定する画面が新たに表示されるようになっている。
【００３３】
ユーザーは、表示装置２０の画面表示に従い、操作スイッチ群１７の操作またはリモコン２３の操作によって、目的地の設定とともに待ち合わせる友人が利用する「電車Ｔ」を特定するための条件を入力する。具体的には、「電車Ｔ」の路線などとともに、ＡＭ９：００に所定の始発駅を出発する電車を入力する。また、後述する最適な立ち寄り駅の決定処理によって最適な立ち寄り駅が決定した場合、すなわち、友人が下車する駅が決定した場合に、友人に下車する駅を連絡するため、ユーザーは、ここで友人の所有する携帯電話３のメールアドレスを設定しておく。
【００３４】
ナビゲーション装置１の制御回路１８は、公共交通機関の特定の便として、ＡＭ９：００に所定の始発駅を出発する「電車Ｔ」を設定するとともに、通信回路２５を介して情報センタ３に接続し、「電車Ｔ」を特定するための条件を情報センタ３へ送信し、「電車Ｔ」の停車駅に関する詳細情報を要求する（丸囲み数字１）。例えば、情報センタ３に、「ＡＭ９：００に所定の始発駅を出発する電車の停車駅に関する詳細情報を下さい」といった要求を行う。
【００３５】
そして、情報センタ３は、記憶装置に記憶された各種交通機関の交通機関に関する交通機関情報から必要な情報を読み出し、「電車Ｔ」の停車駅に関する詳細情報をナビゲーション装置１へ返信する（丸囲み数字２）。
【００３６】
なお、「電車Ｔ」の停車駅に関する詳細情報としては、図４に示すように、「電車Ｔ」の停車駅であるＡ駅およびＣ駅〜Ｅ駅の各駅への到着時刻、「電車Ｔ」の各停車駅の位置情報（緯度経度）が含まれる。また、「電車Ｔ」の各停車駅の位置情報（緯度Ｘ、経度Ｙ）は、例えば、駅の北口、駅の南口などに設けられた駐車スペース、あるいはロータリーなどに相当する「立ち寄り位置」毎に定義されている。また、通信の情報量を低減するため、「電車Ｔ」の停車駅に関する詳細情報に、Ｂ駅のような「電車Ｔ」が停車しない駅についての到着時刻や位置情報を含まないようになっている。
【００３７】
このように、制御回路１８は、通信回路２５によって情報センタ３から返信された「電車Ｔ」の停車駅に関する詳細情報を取得し、受信した「電車Ｔ」の停車駅に関する詳細情報に基づき、図５に示すような各停車駅における立ち寄り駅の候補を選択する選択画面を表示装置２０に表示させる。
【００３８】
ユーザーは、操作スイッチ群１７の操作またはリモコン２３の操作によって、図５に示す立ち寄り駅の候補の中から所望の停車駅の立ち寄り駅を選択した後、立ち寄り駅の選択が完了したことを示す「完了」を指定する。
【００３９】
そして、制御回路１８は、ユーザーによって選択された立ち寄り駅の中から最適な立ち寄り駅を決定する処理を行う（丸囲み数字３）。ここで、図６を参照して、制御回路１８による最適な立ち寄り駅の決定処理について説明する。
【００４０】
制御回路１８は、立ち寄り駅の候補の中からユーザーによって選択された各立ち寄り駅を目的地として、ユーザーによって選択された各立ち寄り駅までの各到着予想時刻をそれぞれ算出する。具体的には、位置検出器１１から入力される各種信号に基づいて現在地を求め、この現在地と情報センタ３から返信された立ち寄り位置の座標（緯度Ｘ、経度Ｙ）に基づき、ダイクストラ法などを用いてユーザーによって選択された各立ち寄り駅までの経路をそれぞれ設定する。そして、現在地からユーザーによって選択された各立ち寄り駅までの距離と平均車速に基づいて、ユーザーによって選択された各立ち寄り駅までの所要時間をそれぞれ算出し、現在時刻と算出した各立ち寄り駅までの所要時間から、立ち寄り駅までの到着時刻を分単位で算出する（Ｓ１００）。
【００４１】
なお、図５において、ユーザーの操作によって、Ａ駅の北口、Ｄ駅の東口およびＥ駅の南口が選択され、Ｃ駅の北口、Ｃ駅の南口およびＤ駅の西口は選択されていない。つまり、Ｃ駅については、北口、南口のいずれも選択されていないため、Ｃ駅への到着予想時刻の算出は行わない。
【００４２】
次に、制御回路１８は、「電車Ｔ」の各駅への到着時刻とナビゲーション装置１が装着された車両の各駅への到着予想時刻に基づき、待ち時間の最も短い駅が複数あるか否かを判定する（Ｓ１０１）。
【００４３】
図７は、「電車Ｔ」の各駅への到着時刻とナビゲーション装置１が装着された車両の各駅への到着予想時刻の一例を示したものである。図に示すように、Ａ駅で待ち合わせる場合、「電車Ｔ」に乗った人の待ち時間が５分となり、Ｄ駅で待ち合わせる場合、車両に乗った人の待ち時間が１０分となり、Ｅ駅で待ち合わせる場合、車両に乗った人の待ち時間が５分となる。このような場合、制御回路１８は、Ａ駅で待ち合わせる場合とＥ駅で待ち合わせる場合の待ち時間がそれぞれ５分となるため、待ち時間の最も短い駅が複数あると判定し（Ｓ１０１でＹＥＳと判定）、到着時刻の最も早い駅を選択する。ここでは、Ｅ駅への到着予想時刻よりもＡ駅への到着予想時刻の方が早いため、立ち寄り駅としてＡ駅に決定する（Ｓ１０２）。
【００４４】
そして、ダイクストラ法などを用いて、現在地と目的地との間に立ち寄り駅として決定したＡ駅を経由地として目的地までの案内経路を設定するとともに、設定した案内経路に従って、表示装置２０による画面表示や音声出力装置２６による音声出力により経路案内を行い、本処理を終了する。
【００４５】
また、Ｓ１０１において、待ち時間の最も短いものが複数あるか否かを判定し、待ち時間の最も短い駅が１つであると判定した場合（Ｓ１０１でＮＯと判定）、待ち時間の最も短い駅を立ち寄り駅として決定する（Ｓ１０３）。そして、ダイクストラ法などを用いて、現在地と目的地との間に立ち寄り駅として決定した駅を経由地として目的地までの案内経路を設定するとともに、設定した案内経路に従って、表示装置２０による画面表示や音声出力装置２６による音声出力により経路案内を行い、本処理を終了する。
【００４６】
そして、図２、図３の説明に戻り、ナビゲーション装置１の制御回路１８は、最適な立ち寄り駅の算出処理（丸囲み数字３）によって決定した立ち寄り駅を友人に連絡する。具体的には、「電車Ｔ」に乗った友人の携帯電話３に、「Ａ駅で下車してください。北口で待っています」といった内容のメールを送信する（丸囲み数字４）。
【００４７】
また、制御回路１８は、最適な立ち寄り駅に到着するまで、定期的に図６に示した最適な立ち寄り駅を決定する処理を繰り返し、道路工事や渋滞などにより、最適な立ち寄り駅が変更となった場合、表示装置２０の画面に、最適な立ち寄り駅を変更するか否かを確認する表示を行う。そして、ユーザーの操作スイッチ群１７の操作またはリモコン２３の操作によって最適な立ち寄り駅を変更することを許可する信号が入力された場合、変更となった最適な立ち寄り駅を経由地として案内経路を設定するとともに、設定した案内経路に従って経路案内を行う。そして、例えば、最適な立ち寄り駅がＡ駅からＥ駅に変更になった場合、図２の一点鎖線で示すように、Ｅ駅を経由して目的地までの案内経路を設定するとともに、友人の携帯電話３に、「Ｅ駅で下車してください。南口で待っています。」といった内容のメールを送信する（図２の丸囲み数字５）。
【００４８】
そして、制御回路１８は、設定した案内経路に従って、表示装置２０の表示画面および音声出力装置２６のスピーカから音声により目的地までの経路案内を行う。
【００４９】
上記したように、ナビゲーション装置は、目的地および公共交通機関の特定の便を設定し（丸囲み数字１）、設定された公共交通機関の特定の便に関する情報を取得し（丸囲み数字２）、現在地および公共交通機関の特定の便に関する情報に基づき、現在地から目的地までの間に公共交通機関の特定の便の利用者と待ち合せる立ち寄り施設を経由地として決定する（丸囲み数字３）。これにより、公共交通機関の利用者との待ち合わせを考慮した経路設定を行うことができる。
【００５０】
なお、本実施形態において、設定手段は、目的地の設定とともに待ち合わせる友人が利用する「電車Ｔ」を特定するための条件を入力する処理（丸囲み数字１）に相当する。また、取得手段は、制御回路１８が、通信回路２５によって情報センタ３から返信された「電車Ｔ」の停車駅に関する詳細情報を取得する処理（丸囲み数字２）に相当する。また、決定手段は、制御回路１８による、ユーザーによって選択された立ち寄り駅の中から最適な立ち寄り駅を決定する処理に相当する。また、公共交通機関の所定の便の利用者が所有する通信端末は、携帯電話３に相当し、連絡手段は、最適な立ち寄り駅の算出処理（丸囲み数字３）によって決定した立ち寄り駅を友人に連絡する処理（丸囲み数字４）に相当する。
【００５１】
また、本発明は上記実施形態に限定されるものではなく、本発明の趣旨に基づいて種々なる形態で実施することができる。
【００５２】
例えば、実施形態において各種交通機関として鉄道の例を示したが、鉄道に限ることなく、例えば、モノレール、バスなどに適用してもよい。
【００５３】
また、上記実施形態において、交通機関の特定の便を設定する方法として、ユーザーの操作スイッチ群１７の操作またはリモコン２３の操作によって入力される「電車Ｔ」を特定するための条件により、交通機関の特定の便を設定する例について示したが、例えば、通信回路２５を介して、待ち合わせを行う「電車Ｔ」の利用者から「電車Ｔ」を特定するための条件が記された受信メールを受信し、この受信メールから、「電車Ｔ」を特定するための条件を抽出して交通機関の特定の便を設定するようにしてもよく、また、ユーザーの音声を認識する音声認識装置を備え、この音声認識装置を介してユーザーの音声を文字として認識して交通機関の特定の便を設定するようにしてもよい。
【００５４】
また、上記実施形態において、情報センタ３から「電車Ｔ」の停車駅に関する詳細情報をナビゲーション装置１へ返信する例について示したが、情報センタ３からナビゲーション装置１へ返信する情報として、「電車Ｔ」の停車駅に関する詳細情報に加え、「電車Ｔ」に関する情報を返信するようにしてもよい。例えば、情報センタ３から「電車Ｔ」に関する情報として「電車Ｔ」の現在地情報を定期的に送信させ、制御回路１８は、この「電車Ｔ」の現在地情報を受信して、図８に示すように、表示装置２０の画面に、「電車Ｔ」の現在地をアイコンなどで表示して、視覚的に電車の位置をユーザーに知らせるようにしてもよい。
【００５５】
また、上記実施形態において、制御回路１８は、道路工事や渋滞などを考慮できるように、最適な立ち寄り駅に到着するまで、定期的に図６に示した最適な立ち寄り駅を決定する処理を繰り返し行う例について示したが、更に、ＶＩＣＳ受信機などの交通情報を取得する手段を備え、この交通情報を取得する手段によって取得した交通情報に変更があった場合に、図６に示した最適な立ち寄り駅を決定する処理を行うようにしてもよい。
【００５６】
また、上記実施形態において、制御回路１８は、ユーザーの操作によって交通機関の特定の便が設定されると、図５に示す立ち寄り駅候補の選択画面を表示装置２０に表示させ、ユーザーの操作によって立ち寄り駅の候補が選択されると、選択された立ち寄り駅の候補までの到着予想時刻を算出する処理を行う例について示したが、立ち寄り駅候補の選択画面を表示させることなく、ユーザーの操作によって交通機関の特定の便が設定されると、自動的に「特定の便」の各停車駅への到着予想時刻を算出するようにしてもよい。
【００５７】
また、上記実施形態において、情報センタ３から「電車Ｔ」の停車駅に関する詳細情報をナビゲーション装置１へ返信する例について示したが、例えば、情報センタ３の記憶装置に記憶された各種交通機関の交通機関に関する交通機関情報を、ナビゲーション装置１の外部メモリ１９あるいは地図データ入力器１６の記憶媒体に記憶させるようにしてもよい。この場合、情報センタ3を介さずとも、制御回路１８は、外部メモリ１９あるいは地図データ入力器１６の記憶媒体に記憶された各種交通機関の交通機関に関する交通機関情報から、「電車Ｔ」の停車駅に関する詳細情報を読み出せばよい。
【００５８】
また、情報センタ３から返信される「電車Ｔ」の停車駅に関する詳細情報に、ホーム等から各停車駅における立ち寄り位置までの移動に要する時間を含むようにして、ホーム等から各停車駅における立ち寄り位置までの移動に要する時間を考慮して、立ち寄り駅を決定する処理を行うようにしてもよい。この場合、制御回路１８は、待ち合わせを行う人が立ち寄り位置に到着する到着時刻と車両が立ち寄り駅への到着する到着予想時刻に基づいて、図６のＳ１０１およびＳ１０２の処理を行うようにすればよい。
【００５９】
また、上記実施形態において、「電車Ｔ」に乗車した人と待ち合わせを行う場合に、最適な立ち寄り駅を決定する処理を行う例について示したが、例えば、複数の電車に別々に乗車した人達と待ち合わせを行う場合にも適用できる。この場合、制御回路１８は、各電車の各停車駅への到着予想時刻をそれぞれ算出し、各停車駅における待ち合せ時間の短い駅を立ち寄り駅として決定すればよい。
【００６０】
また、上記した実施形態では、ナビゲーション装置１において、最適な立ち寄り駅を決定する処理を行う例について示したが、情報センタ３において最適な立ち寄り駅を決定する処理を行い、情報センタ３からナビゲーション装置１へ最適な立ち寄り駅を送信するようにしてもよい。
【００６１】
また、上記実施形態において、ナビゲーション装置１から友人の携帯電話３に、下車駅をメールで連絡する例について示したが、ユーザーが、表示装置２０の表示画面によって、最適な立ち寄り駅が経由地として設定されたことを確認し、ユーザーの携帯電話（通信回路２５）から、「Ａ駅で下車してください。」といった内容を、メールまたは音声によって友人の所有する携帯電話３に連絡するようにしてもよい。
【図面の簡単な説明】
【００６２】
【図１】本発明のナビゲーション装置の構成を示す図である。
【図２】ナビゲーション装置の制御回路における最適な立ち寄り駅を算出する処理の説明図である。
【図３】ナビゲーション装置における最適な立ち寄り駅を算出する処理のシーケンス図である。
【図４】情報センタから返信される「電車Ｔ」の停車駅に関する詳細情報についての説明図である。
【図５】立ち寄り駅の候補を選択する選択画面の一例を示す図である。
【図６】ナビゲーション装置の制御回路における最適な立ち寄り駅の決定処理を示すフローチャートである。
【図７】「電車Ｔ」の各駅への到着時刻と車両の各駅への到着予想時刻の一例を示す図である。
【図８】「電車Ｔ」の現在地が表示装置２０の画面に表示された例を示す図である。
【符号の説明】
【００６３】
１…ナビゲーション装置、２…情報センタ、３…携帯電話、１１…位置検出器、
１２…地磁気センサ、１３…ジャイロスコープ、１４…距離センサ、
１５…ＧＰＳ受信機、１６…地図データ入力器、１７…操作スイッチ群、
１８…制御回路、１９…外部メモリ、２０…表示装置、２２…リモコンセンサ、
２３…リモコン、２５…通信回路、２６…音声出力装置。
【図１】
2005083864.tif 000003
【図２】
2005083864.tif 000004
【図３】
2005083864.tif 000005
【図４】
2005083864.tif 000006
【図５】
2005083864.tif 000007
【図６】
2005083864.tif 000008
【図７】
2005083864.tif 000009
【図８】
2005083864.tif 000010